(57)【要約】【課題】駆動信号により駆動する表示部を有する場合であっても、ノイズの影響が少なく標準時刻信号を受信する電波修正時計を提供する。【解決手段】表示制御信号が表示指示を含むときは駆動信号を生成して駆動信号に応じた表示を行い、表示制御信号が駆動信号の生成を抑止させる抑止指示を含むときは駆動信号の生成を抑止する表示部１９と、ノイズの発生源となる表示部１９の近傍に配置され、電波信号を受信し、電波信号に含まれる標準時刻信号を出力する標準電波信号受信系１１と、標準電波信号受信系１１で、標準時刻信号の内の、内部時計の時刻修正処理に係る所定の修正信号が受信されるときは、少なくとも駆動信号の生成を抑止させる抑止指示を含む表示制御信号を表示部１９に出力する制御回路２０とを設ける。【選択図】　図１
2004093375.tif 000002
【特許請求の範囲】
【請求項１】
標準時刻信号を含む電波信号を受信して、内部時計の時刻修正を行う電波修正時計であって、
表示制御信号が表示指示を含むときは駆動信号を生成して前記駆動信号に応じた表示を行い、前記表示制御信号が前記駆動信号の生成を抑止させる抑止指示を含むときは駆動信号の生成を抑止する表示手段と、
前記電波信号を受信し、前記電波信号に含まれる標準時刻信号を出力する受信手段と、
前記受信手段で、前記標準時刻信号の内の、前記内部時計の時刻修正処理に係る所定の修正信号が受信されるときは、少なくとも前記抑止指示を含む表示制御信号を前記表示手段に出力する制御手段とを有する
電波修正時計。
【請求項２】
前記制御手段は、前記受信手段で、前記電波信号に含まれる標準時刻信号の内の、前記修正信号が受信されるとき以外のときは、所定の表示を行わせる前記表示指示を含む表示制御信号を前記表示手段に出力する
請求項１に記載の電波修正時計。
【請求項３】
前記制御手段は、前記受信手段から出力された前記標準時刻信号に応じて前記内部時計の秒同期処理を行う際に、前記秒同期処理に影響を与えないタイミングで表示を行わせる表示指示を含む表示制御信号を前記表示手段に出力する
請求項１または２に記載の電波修正時計。
【請求項４】
前記制御手段は、前記受信手段から出力された前記標準時刻信号に応じて前記内部時計の秒同期処理を行う際に、前記表示手段に表示させる周期が一定ではない表示指示を含む表示制御信号を前記表示手段に出力する
請求項１〜３のいずれかに記載の電波修正時計。
【請求項５】
前記表示手段は、前記表示制御信号に基づいて、前記表示制御信号に表示指示が含まれているときは駆動信号を生成する駆動回路と、
前記駆動回路から出力された前記駆動信号に応じた表示を行う液晶表示部とを有する
請求項１〜４のいずれかに記載の電波修正時計。
【請求項６】
前記受信手段は、ノイズの発生源となる前記表示手段の近傍に配置されている
請求項１〜５のいずれかに記載の電波修正時計。
【発明の詳細な説明】
【０００１】
【発明の属する技術分野】
本発明は、例えば、標準時刻信号を含む電波信号を受信して時刻修正を行う電波修正時計に関するものである。
【０００２】
【従来の技術】
内部の計時部で計時される時刻に応じた表示を行う表示部、例えばＬＣＤパネルを有する時計が知られている。
上述の時計では、例えば、内部の計時部で計時される時刻に応じた時刻データが、表示部の駆動回路に入力される。駆動回路では、入力された時刻データに応じた駆動信号をＬＣＤパネルに出力する。ＬＣＤパネルは、その駆動信号に応じた時刻表示を行う。
【０００３】
【発明が解決しようとする課題】
ところで、例えば、上述の表示部を有し、標準時刻信号を含む標準電波信号を受信アンテナで受信し、標準時刻信号に基づいて内部の計時部で計時される時刻の修正を行う電波修正時計が知られている。
この電波修正時計では、標準時刻信号を受信する際に、表示部から出力される駆動信号がノイズとして受信に影響してしまう場合がある。
【０００４】
本発明は、かかる事情に鑑みてなされたものであり、その目的は、駆動信号により駆動する表示部を有する場合であっても、ノイズの影響が少なく標準時刻信号を受信する電波修正時計を提供することにある。
【０００５】
【課題を解決するための手段】
前記目的を達成するために、本発明の電波修正時計は、標準時刻信号を含む電波信号を受信して、内部時計の時刻修正を行う電波修正時計であって、表示制御信号が表示指示を含むときは駆動信号を生成して前記駆動信号に応じた表示を行い、前記表示制御信号が前記駆動信号の生成を抑止させる抑止指示を含むときは駆動信号の生成を抑止する表示手段と、前記電波信号を受信し、前記電波信号に含まれる標準時刻信号を出力する受信手段と、前記受信手段で、前記標準時刻信号の内の、前記内部時計の時刻修正処理に係る所定の修正信号が受信されるときは、少なくとも前記抑止指示を含む表示制御信号を前記表示手段に出力する制御手段とを有する。
【０００６】
本発明の電波修正時計によれば、標準時刻信号を含む電波信号を受信して、内部時計の時刻修正を行う。
表示手段では、表示制御信号が表示指示を含むときは駆動信号を生成して前記駆動信号に応じた表示を行い、前記表示制御信号が前記駆動信号の生成を抑止させる抑止指示を含むときは駆動信号の生成が抑止される。
受信手段では、前記電波信号を受信し、前記電波信号に含まれる標準時刻信号が出力される。
制御手段では、前記受信手段で、前記標準時刻信号の内の、前記内部時計の時刻修正処理に係る所定の修正信号が受信されるときは、少なくとも前記抑止指示を含む表示制御信号が前記表示手段に出力される。
【０００７】
【発明の実施の形態】
【発明の実施の形態】
電波修正時計１は、標準電波送信局２から送信される標準時刻信号を含む標準電波信号を受信し、受信結果に基づいて内部で計時される時刻を修正する。
図１は、本発明に係る電波修正時計の一実施の形態のブロック図である。
本実施の形態に係る電波修正時計１の信号処理系回路１０は、図１に示すように、標準電波信号受信系１１、発振回路１２、スイッチ群１３、スピーカ１４、マイク１５、光センサ１６、変換部１７、検出部１８、表示部１９、制御回路２０、および受信表示部３０を有する。
【０００８】
標準電波信号受信系１１は、標準時刻信号を含む標準電波信号を受信し、受信された標準時刻信号に応じた信号を出力する。
【０００９】
標準電波信号受信系１１は、受信アンテナ１１１、および長波受信回路１１２を有する。
受信アンテナ１１１は、標準電波送信局２から送信された標準時刻信号を含む長波の標準電波を受信する。
長波受信回路１１２は、例えば、制御回路２０からの指示に応じて、受信アンテナ１１１で受信された標準電波に対して所定の信号処理を行い、処理の結果を、例えばパルス信号として制御回路２０に出力する。
長波受信回路１１２は、例えば、不図示のＲＦアンプ、電波検波回路、整流回路、および積分回路により構成される。
【００１０】
図２は、図１に示した電波修正時計の標準電波受信される時刻信号の一具体例を示す図である。
図２（ａ）は標準電波信号の一具体例を示す図、図２（ｂ）は受信状態が良い場合の出力波形の一具体例を示す図である。図２（ｃ）は電波が非常に弱い場合の出力波形の一具体例を示す図、図２（ｄ）はノイズが多い場合の出力波形の一具体例を示す図である。
【００１１】
日本標準時を高精度で伝える長波の標準電波ＪＪＹは、図２（ａ）に示すような形態で送られてくる。
具体的には、ＪＪＹの標準時刻信号（タイムコードとも言う）は、「１」信号、「０」信号、「Ｐ」信号の３種類の信号パターンから構成され、それぞれの信号パターンは、１秒（ｓ）の中の１００％振幅期間幅によって区別されている。「１」信号を表す場合には、１秒（ｓ）の間に５００ｍｓ（０．５ｓ）だけ所定の周波数の所定の１００％振幅期間の信号が送信され、「０」信号を表す場合には、１秒の間に、８００ｍｓ（０．８ｓ）だけ所定の周波数の信号が送信され、「Ｐ」信号を表す場合には、１秒（ｓ）の間に２００ｍｓ（０．２ｓ）だけ所定の周波数が送信されてくる。
受信状態が良好であり、受信が成功した場合には、図２（ｂ）に示すように標準電波信号の波形に応じたパルス信号が制御回路２０に出力される。
この場合には、制御回路２０は受信した標準電波の受信状態が予め規定された正常な基準電範囲内にあるものとみなす。
【００１２】
一方、受信状態が基準範囲外にあるとみなす場合は、電波が弱い場合や、ノイズが多い場合である。
電波が非常に弱い場合には、図２（ｃ）に示すように、数個の信号分、パルス信号がローレベル（Ｌ）またはハイレベル（Ｈ）のままになる。
また、ノイズが多い場合には、図２（ｂ）に示すように、電波の波形と無関係にパルス信号のレベルが変化する。
これらの状態にあるパルス信号を例えば１０秒間に２回か、あるいは、それ以上受信した場合には、制御回路２０は受信状態が基準範囲外にあり、受信成功ではないとみなす。
具体的には、例えば、制御回路２０は、検出時間を１０秒程度として、この検出時間内において、パルス信号のレベルの変化が１秒間検出されなかった場合、及び、検出したパルス幅が０．８ｓ，０．５ｓ，０．２ｓ付近でなかった場合をＮＧとして、ＮＧが２回以上発生した場合には、受信不可とみなす。
【００１３】
なお、日本の標準電波ＪＪＹは、独立行政法人通信総合研究所（ＣＲＬ）のもとで運用されている。また、変調波であるパルス信号ＰＬの振幅は最大１００％、最小１０％である。
【００１４】
次に、長波標準電波の送信データについて説明する。
図３は、標準電波信号のタイムコードの一部である。
タイムコードは、図３に示すように、１分１周期（１フレーム）としてこれを、６０分割し、１秒ごとに１ビットの情報を割り当てて送信している。
【００１５】
タイムコードが送信する情報は、時、分、１月１日からの通算日、年（西暦下２桁）、曜日に関しては、２進数（ＢＣＤ（Ｂｉｎａｒｙ　ｃｏｄｅｄ　ｄｅｃｉｍａｌ　ｎｏｔａｔｉｏｎ　２進化１０進法）正論理）として表し送信する。
従って、時には２４時間制ＪＳＴの時を表すために６ビット、分には７ビット、通算日には１０ビット、年には８ビット、曜日には３ビットが必要となる。
【００１６】
なお、秒信号については、秒は電波のパルス信号の立ち上がりとし、パルスの立ち上がりの５５％（１０％値と１００％値の中央）が標準時の１秒信号に同期する。
【００１７】
Ｐ信号は１フレームに７回送信され、正分（０秒）に対応するものがマーカーＭと呼ばれ、９秒、１９秒、２９秒、３９秒、４９秒に対応するものが、それぞれポジションマーカーＰ１〜Ｐ５と呼ばれる。
なお、もう一つのポジションマーカーＰ０は、通常（非うるう秒時）は５９秒の立ち上がりに対応する。
【００１８】
このＰ信号が続けて現れるのは１フレーム中１回で、５９秒、０秒のとき、つまりポジションマーカーＰ０、マーカーＭと続くときだけ、この続けて現れる位置が正分位置となる。つまり分・時データ等の時刻データは、この正分位置を基準としてフレーム中の位置が決まっているため、この正分位置の検出を正確に行い、時刻データを取り出す。
【００１９】
ただし、標準電波のフレームのフォーマットは毎分同じではなく、図３（ａ）に示すように、毎時１５分および４５分時フォーマットと、図３（ｂ）に示すように、それ以外の分の時刻のフォーマットは、異なっている。ＳＵ１、ＳＵ２と名付けられた予備ビットと、ＬＳ１、ＬＳ２と名付けられたうるう秒情報は、呼び出し符号と停波情報が、年情報と曜日情報の代わりに１５分、４５分のフォーマットにのみ現れる。
【００２０】
このように、タイムコードを含む標準電波を受信し、そこから得られるパルス信号をデコードすることにより、標準時刻を入手することができる。
制御回路２０は、得られた標準時刻に基づいて、計時される計時時刻を修正する。
【００２１】
発振回路１２は、例えば、水晶発振器ＣＲＹ、およびキャパシタＣ１，Ｃ２により構成され、所定の周波数の基本クロックを生成し、制御回路２０に供給する。
【００２２】
スイッチ群１３は、例えば、ユーザにより操作され、操作に応じた信号が制御回路２０に出力される。制御回路２０では、その信号に応じた所定の処理を行う。
スイッチ群１３は、例えば、リセットスイッチ１３１、強制受信スイッチ１３２、鳴止めスイッチ１３３、スヌーズスイッチ１３４、設定スイッチ群１３５とを有する。
【００２３】
リセットスイッチ１３１は、制御回路２０の各種状態を初期状態に戻すときにオンされる。リセットスイッチ１３１が操作された場合、または、図示しない電池がセットされた場合に、制御回路２０は、各種状態を初期状態に戻し、標準電波信号受信系１１に標準電波信号を強制的に受信させ、受信信号に基づいて計時時刻を修正する。
【００２４】
強制受信スイッチ１３２は、強制的に標準電波信号を受信して、内部で計時される時刻の修正を行わせるときにオンされる。制御回路２０は、強制受信スイッチが操作された場合には、上述のように、標準電波信号受信系１１に標準電波信号を強制的に受信させ、受信信号に基づいて計時時刻を修正する。
【００２５】
鳴止めスイッチ１３３は、例えば、アラーム時刻に報音されるアラーム音の出力を止めるときにオンされる。制御回路２０は、鳴止めスイッチ１３３が操作された場合には、例えば、アラーム時刻にスピーカ１４から報音させるアラーム音の出力を停止する。
【００２６】
スヌーズスイッチ１３４は、例えば、アラーム時刻に報音されるアラーム音の出力を一旦止め、所定の時間経過後に再び出力させたいときにオンされる。制御回路２０は、スヌーズスイッチ１３４が操作された場合には、例えば、アラーム時刻にスピーカ１４から出力させるアラーム音の出力を一旦止め、所定の時間経過後に、再びスピーカ１４からアラーム音を出力させる。
【００２７】
設定スイッチ群１３５は、例えば、アラーム時刻を設定する際に操作されるスイッチである。設定スイッチ群１３５は、複数の設定スイッチ１３５１〜１３５４を有する。制御回路２０は、設定スイッチ群１３５が操作された場合には、例えば、その操作に応じたアラーム時刻を設定する。
【００２８】
スピーカ１４は、制御回路２０の制御により所定の音、例えばアラーム音やメロディ等を出力する。
マイク１５は、音波を電気信号に変換し、制御回路２０に出力する。
光センサ１６は、例えば、ＣｄＳ光センサであり、光を検出し、検出信号を制御回路２０に出力する。
【００２９】
光電変換部１７は、光エネルギを電気エネルギに変換する。光電変換部１７は、例えば不図示の２次電源に、電気エネルギを出力し、２次電源の充電を行う。
検出部１８は、例えば光電変換部１７から出力された電気エネルギの電圧に応じた検出信号を制御回路２０に出力する。
【００３０】
受信表示部３０は、制御回路２０から標準電波信号を受信中である旨を示す制御信号が出力されると、その制御信号に応じた表示を行う。
例えば、受信表示部３０は、例えばＬＥＤ（Ｌｉｇｈｔ　ｅｍｉｔｔｉｎｇ　ｄｉｏｄｅ）等の発光素子３１、抵抗Ｒ、およびトランジスタｔｒとを有する。
制御回路２０は、例えば、標準電波信号を受信中である旨を示す制御信号として、所定のしきい電圧よりも高い電圧がトランジスタｔｒに出力されると、トランジスタｔｒがオンし、発光素子３１が発光する。しきい電圧よりも低い電圧が供給されると、発光素子３１は発光しない。
【００３１】
図４は、図１に示した電波修正時計の一実施の形態の全体構成を示す図である。
図４（ａ）は電波修正時計の正面図、図４（ｂ）は上面図、図４（ｃ）は底面図、図４（ｄ）は図４（ａ）に示した電波修正時計のＡ−Ａ’線の断面図である。
【００３２】
電波修正時計１の本体部１００は、図４（ａ）に示すように、本体部１００の中央部に表示部１９のＬＣＤパネル１９１が設けられている。
ＬＣＤパネル１９１は、例えば、図４（ａ）に示すように、時分秒表示部、曜日表示部、目覚ましＡ，Ｂ（複数のアラーム時刻）表示部、電波受信状態表示部を有する。
ＬＣＤパネル１９１の後部には、例えば図４（ｄ）に示すように、ＬＣＤパネル１９１に駆動信号を供給する駆動回路１９２が設けられている。
また、表示部１９のＬＣＤパネル１９１および駆動回路１９２の近傍には、標準電波信号を受信するための受信アンテナ１１１が設けられている。
【００３３】
本体部１００の正面の左右周辺部には、設定スイッチ（アラーム時刻設定ボタンとも言う）１３５１〜１３５４が設けられている。
本体部１００の正面の右上部には、標準電波信号を受信中である旨を示す発光素子３１が設けられている。
本体部１００の上面には、図４（ｂ）に示すように、光電変換部１７、例えばソーラーパネルが設けられている。
【００３４】
図５（ａ）は図４（ａ）に示した電波修正時計の背面図、図５（ｂ）は左側面図、図５（ｃ）は右側面図である。
電波修正時計の背面中央部には、図５（ａ）に示すように、リセットスイッチ１３１、および強制受信スイッチ１３２が設けられている。
また、例えば、強制受信スイッチ１３２の左側にスピーカ１４、右側にマイク１５、下側に光センサ１６が設けられている。
【００３５】
図６は、図１に示した電波修正時計の表示部の一具体例のブロック図である。
表示部１９は、例えば、制御回路２０からの表示制御信号に応じた所定の表示を行う。例えば、表示部１９は、制御回路２０から、計時されている時刻に基づいた表示制御信号が入力されると、その表示制御信号に応じた時刻表示を行う。
【００３６】
表示部１９は、例えば液晶表示装置や、ＬＥＤ表示装置、ブラウン管式の表示装置である。以下、表示部１９が液晶表示装置の場合を説明する。
【００３７】
表示部１９は、例えば図６に示すように、ＬＣＤパネル１９１、駆動回路１９２を有する。
ＬＣＤ（Ｌｉｑｕｉｄ　ｃｒｙｓｔａｌ　ｄｉｓｐｌａｙ）パネル１９１は、いわゆる液晶パネルであり、駆動回路１９２から出力される駆動信号に応じて、所定の画像を表示する。
駆動回路１９２は、制御回路２０から出力された表示制御信号に基づいて、例えば駆動信号をＬＣＤパネル１９１に出力する。
駆動回路１９２は、例えば、コモン駆動回路１９２１、セグメント駆動回路１９２２、およびＬＣＤ制御回路１９２３を有する。
【００３８】
図７は、図４に示した表示部のＬＣＤパネルの一具体例の一部を示す図である。
表示部１９のＬＣＤパネル１９１は、例えば図７に示すように、セグメント電極ＳＥＧ、コモン電極ＣＯＭ、セグメント線ＬＳＥＧ、コモン線ＬＳＥＧを有する。
【００３９】
ＬＣＤパネル１９１は、例えば図示しないが、偏光子、ガラス基板、透明電極（セグメント電極）、分子配向層、液晶、透明電極（コモン電極）、ガラス基板、および偏光子等が積層されて形成されている。
【００４０】
ＬＣＤパネル１９１は、不図示の基板の前面に設けられたセグメント電極ＳＥＧにはセグメント線ＬＳＥＧが接続され、基板の背面に設けられたコモン電極ＣＯＭにはコモン線ＬＣＯＭが接続されている。
【００４１】
セグメント電極ＳＥＧおよびコモン電極ＣＯＭに選択的に電圧をかけることにより、液晶の分子の向きを変化させて、例えば０〜９の数字を表示することができる。
【００４２】
コモン電極ＣＯＭは、コモン線ＬＣＯＭを介して、コモン駆動回路１９２１に接続されている。
セグメント電極ＳＥＧは、セグメント線ＬＳＥＧを介して、セグメント駆動回路１９２２に接続されている。
【００４３】
コモン駆動回路１９２１は、ＬＣＤ制御回路１９２３からの信号に基づいて、ＬＣＤパネル１９１のコモン電極ＣＯＭへ、所定の駆動信号を供給する。
セグメント駆動回路１９２２、ＬＣＤ制御回路１９２３からの信号に基づいて、ＬＣＤパネル１９１のセグメント電極ＳＥＧへ、所定の駆動信号を供給する。
【００４４】
ＬＣＤ制御回路１９２３は、例えば、制御回路２０から出力された、内部で計時される時刻に応じた表示制御信号に基づいて、コモン駆動回路１９２１及びセグメント駆動回路１９２２に、駆動信号をＬＣＤパネル１９１に供給させる駆動制御信号を出力する。
【００４５】
図８は、図１に示した電波修正時計の表示部の駆動信号の一具体例を示す図である。
全セグメント点灯時
全セグメント点灯時には、コモン駆動回路１９２１は、コモン端子（ＣＯＭ１〜４）に、図８（ａ）に示すように、最大電圧が駆動電圧ＶＤＤ、最小電圧が基準電圧ＶＳＳのパルス方形波の駆動信号を供給する。
セグメント駆動回路１９２２は、セグメント端子ＳＥＧに、図８（ｂ）に示すように、コモン端子ＣＯＭに供給されるパルス方形波と位相がπだけずれた、最大電圧が駆動電圧ＶＤＤ、最小電圧が基準電圧ＶＳＳのパルス方形波を供給する。
【００４６】
全セグメント消灯時
全セグメント消灯時には、セグメント駆動回路１９２２は、セグメント端子ＳＥＧに、図８（ｃ）に示すように、最大電圧がＶＤＤ１で、最小電圧がＶＤＤ２のパルス方形波を供給する。
ＶＤＤ２はＶＳＳより高く、ＶＤＤ１はＶＤＤ２より高く、ＶＤＤはＶＤＤ１より高い。
液晶にかかる電圧は、コモン端子ＣＯＭとセグメント端子ＳＥＧ間の電圧である。
例えばＶＳＳ−ＶＤＤ２、および、ＶＤＤ−ＶＤＤ１は、液晶のしきい値電圧よりも低い。このとき、ＬＣＤパネル１９１には所定の画面表示が行われない。
【００４７】
１／３バイアス−１／３デューティ駆動方式
ＬＣＤパネル１９１において通常時における駆動方法として、各種駆動方法があるが、ここでは例えば、１／３バイアス−１／３デューティ駆動方式を説明する。
【００４８】
この駆動方式では、コモン駆動回路１９２１は、例えばコモン端子（ＣＯＭ１〜３）に、図８（ｄ），（ｅ），（ｆ）に示すように、電圧がＶＳＳ、ＶＳＳ２、ＶＳＤＤ１、ＶＤＤ２、ＶＤＤ１、ＶＤＤと、６単位時間で周期的に変化する駆動信号を供給する。
【００４９】
コモン端子ＣＯＭ１，２，３それぞれに供給される駆動信号は、例えば、２単位時間だけ位相がずれている。
コモン駆動回路１９２１は、例えば、表示させない個所のコモン端子ＣＯＭ４には、図８（ｄ）に示すような、最高電圧がＶＤＤ１、最低電圧がＶＤＤ２のパルス方形波の駆動信号を供給する。
【００５０】
セグメント駆動回路１９２２は、コモン端子ＣＯＭ１，２，３に対応するセグメントＬＣＤの表示を消灯する場合には、コモン端子１，２，３それぞれに対応するセグメント端子ＳＥＧに、例えば図８（ｇ）に示すような、最高電圧がＶＤＤ１、最低電圧がＶＤＤ２であるパルス方形波を供給する。
【００５１】
セグメント駆動回路１９２２は、例えば、コモン端子ＣＯＭ１に対応するセグメントＬＣＤを点灯する場合には、例えば図８（ｉ）に示すような駆動信号を供給する。
【００５２】
セグメント駆動回路１９２２は、例えば、コモン端子ＣＯＭ２に対応するセグメントＬＣＤを点灯する場合には、例えば図８（ｊ）に示すような駆動信号を供給する。
【００５３】
制御回路２０は、例えば、時カウンタ、分カウンタ、秒カウンタ等を含む内部時計２０１を有する。
制御回路２０は、例えば、所定の標準電波受信時刻、強制受信スイッチ等が操作された場合には、標準電波信号受信系１１に駆動電力を供給し、標準電波信号を受信させ、パルス信号Ｓ１１を出力させ、標準電波信号の受信状態をあらかじめ決められた基準範囲と比較し、受信状態が基準範囲内にある場合には、受信した標準電波信号の標準時刻信号に基づいて、内部時計２０１で計時されている時刻を修正する。
また、制御回路２０は、時刻信号コードのデコードの結果、時刻化が不可能である場合には、内部時計２０１の時刻修正を行わない。
【００５４】
制御回路２０は、内部時計２０１で計時されている時刻に応じた表示を行わせる表示制御信号を、表示部１９に出力する。
【００５５】
標準電波受信時の表示
図９は、図１に示した電波修正時計で受信される電波信号と、表示部の表示タイミングの一具体例を示す図である。
図９（ａ）は電波受信信号、図９（ｂ）は毎秒点滅させる表示制御信号、図９（ｃ）は２秒間隔で点滅させる表示制御信号、図９（ｄ）は揺らぎ点滅させる表示制御信号を示す図である。
【００５６】
上述したように、標準時刻電波信号は、例えば１秒間に、０．２、０．５、０．８秒の１００％振幅期間と、１０％振幅期間のその他の期間とで構成される。
【００５７】
制御回路２０は、例えば、上述したように図３に示した標準電波信号が受信される場合には、標準電波信号を受信する処理として、
・秒同期処理（１秒同期のタイミングを特定する）、
・分同期処理（０秒タイミングを特定する）、
・タイムコードの読み込み処理、
とを行う。
【００５８】
各処理において、時刻修正処理に係る情報として重要なタイミングが異なる。以下、具体的に説明する。
秒同期処理としては、上述したように、秒は電波信号のパルス信号の立ち上がりの５５％（１０％値と１００％値の中央）を基準として、秒同期を行う。このため、秒同期時には、電波信号の秒の前半、具体的には０．０〜０．５秒が重要である。
【００５９】
分同期処理としては、上述したように、正分位置は、ポジションマーカーＰ０、マーカーＭと続く位置を検出し、その位置を正分位置とする。このため分同期時には、電波信号の秒の前半、具体的には、０．０〜０．２秒が重要である。
【００６０】
タイムコードの読み込み処理では、「１」信号、「０」信号、「Ｐ」信号に基づいて、タイムコードをデコードする。このため、タイムコードの読み込み時は、秒の中間、例えば０．２〜０．８秒が重要である。
【００６１】
また、タイムコードが、図３に示すようなフォーマットで送信されている場合には、例えば、時刻・カレンダ”０”で示した位置（時間）では、時刻に関する情報ではないので重要ではない。
【００６２】
このように、標準時刻信号の内の、内部時計の時刻修正処理に係る所定の修正信号が受信されるときは、具体的には、標準電波信号の内の情報として重要でない信号を受信しているときや、「０」信号、「１」信号、および「Ｐ」信号中でも重要でない期間に、表示部１９の表示を行っても、時間修正処理に関しては影響がない。
具体的には制御回路２０が表示用駆動信号を出力して駆動回路１９２から駆動信号をＬＣＤパネル１９１に出力した場合でも、駆動信号を要因とするノイズが標準電波信号受信系１１に入力されても、時間修正処理に関しては影響がない。
【００６３】
制御回路２０は、上述したように、時刻修正処理に関する情報として、重要でない位置（時刻）に、表示を行わせる表示指示を含む表示制御信号を表示部１９に出力する。
【００６４】
標準電波信号受信系１１から、例えば図９（ａ）に示すように、ロウレベルの期間が振幅１００％の期間を示し、ハイレベルの期間が振幅１０％の期間を示すようなパルス信号Ｓ１１が出力される。
標準電波を受信している時の表示部１９の表示タイミングについて、例えば、図９（ａ）に示すようなパルス信号が、標準電波信号受信系１１から出力されている場合を説明する。
【００６５】
例えば、具体的には、制御回路２０は、図９（ａ），（ｂ）に示すようなタイミングで、毎秒、表示部２０を点灯させる。
制御回路２０は、図９（ａ），（ｂ）に示すようなタイミングで、具体的には、毎秒、所定の時間、例えば０．８〜１．０秒等の時間、表示部１９に表示指示を含む表示制御信号を出力して駆動回路１９２に駆動信号を出力させてＬＣＤパネル１９１に所定の表示を行わせる。
点灯している以外の期間は、制御回路２０は、表示部１９に抑止指示を含む表示制御信号を出力し、表示部１９の駆動回路１９２に駆動信号の生成を抑止させる。
表示制御信号は、例えば、図９（ｂ）に示すように、ハイレベルの場合には表示指示、ロウレベルの場合には抑止指示を示す。
【００６６】
例えば、このＬＣＤパネル１９１を毎秒点滅させる場合には、秒同期処理以外の処理を行っている場合が好ましい。秒同期処理を行っているときに、この毎秒ＬＣＤパネル１９１に点滅を行わせると、駆動回路１９２から出力される駆動信号に起因するノイズが、標準電波受信系１１に周期的に入力されることになり、例えばこの周期的なノイズに基づいて秒同期処理を行ってしまい、正確な秒を得ることができない場合がある。
【００６７】
制御回路２０は、また図９（ａ），（ｃ）に示すように、２秒周期で表示部１９を点灯させる。
具体的には、制御回路２０は、図９（ａ），（ｂ）に示すようなタイミングで、具体的には、２秒周期で、所定の時間、例えば０．８〜１．０秒等の時間、表示部１９に表示指示を含む表示制御信号を出力して駆動回路１９２に駆動信号を出力させてＬＣＤパネル１９１に所定の表示を行わせる。
また、点灯している以外の期間は、制御回路２０は、表示部１９に抑止指示を含む表示制御信号を出力し、表示部１９の駆動回路１９２に駆動信号の生成を抑止させる。
【００６８】
制御回路２０は、秒同期しないようなタイミング、例えば図９（ａ），（ｄ）に示すように、揺らいだタイミングで表示部１９を点灯させる。
具体的には、制御回路２０は、図９（ａ），（ｄ）に示すようなタイミング、あるときは１秒よりも短いタイミングで、あるときは１秒よりも長いタイミングで、所定の時間、例えば０．８〜１．０秒等の時間、表示部１９に表示指示を含む表示制御信号を出力して駆動回路１９２に駆動信号を出力させてＬＣＤパネル１９１に所定の表示を行わせる。
また、点灯している以外の期間は、制御回路２０は、表示部１９に抑止指示を含む表示制御信号を出力し、表示部１９の駆動回路１９２に駆動信号の生成を抑止させる。
【００６９】
このようなタイミングで、表示部１９を点灯させることにより、例えば秒同期処理を行っている間であっても、駆動信号を起因とするノイズに基づいて１秒の同期処理を行うことがない。
【００７０】
制御回路２０は、また、標準電波受信中は、表示部１９を表示させなくてもよい。
具体的には、制御回路２０は、表示部１９に駆動信号の生成を抑止させる抑止指示を含む表示制御信号を出力する。表示部１９の駆動回路１９２は、この抑止指示を含む表示制御信号が入力されると、ＬＣＤパネル１９１に供給する駆動信号の生成を抑止する。
このように、標準電波信号を受信中に、駆動信号を生成しないことで、駆動信号を要因としたノイズの影響がなくなり、良好な電波受信環境で、標準電波信号を受信することができる。
【００７１】
制御回路２０は、また、標準信号受信中、ＬＣＤパネル１９１が表示されていない場合に、スイッチ群１３が操作された場合や、光センサ１６が暗状態から明状態、または、明状態から暗状態に状態の変化を検出した場合などに、表示部１９に表示指示を含む表示制御信号を出力して、駆動回路１９２に、駆動信号を出力させてＬＣＤパネル１９１を表示させる。
【００７２】
図１０は、図１に示した電波修正時計の表示動作を説明するための図である。電波修正時計１の制御回路２０および表示部１９の動作を、図１０を参照しながら説明する。
【００７３】
制御回路２０は、通常表示の場合には、駆動信号を出力させる表示指示を含む表示制御信号を表示部１９の駆動回路１９２に出力する。この場合、例えば、制御回路１９は、内部時計２０１で計時される時刻応じた表示を行わせる表示制御信号を出力してもよい。
【００７４】
表示部１９の駆動回路１９２では、この表示制御信号に応じて駆動信号をＬＣＤパネル１９１に出力し、ＬＣＤパネル１９１に所定の表示を行わせる。例えば、内部時計２０１で計時される時刻に応じた表示を行わせる表示制御信号が入力された場合には、それに応じた駆動信号をＬＣＤパネルに出力し、ＬＣＤパネル１９１に時刻表示を行わせる（ＳＴ１、ＳＴ２）。
【００７５】
一方、制御回路２０は、例えば、標準電波信号受信系１１に標準電波を受信させているときや、標準電波信号の内の重要な情報を受信しているときには、駆動信号の生成を抑止させる抑止指示を含む表示制御信号を表示部１９に出力する。
表示部１９の駆動回路１９２では、この表示制御信号が入力されると、駆動信号の生成を抑止する。こうすることにより、標準電波信号受信系１１に駆動信号が要因となるノイズが入力されなくなる（ＳＴ１，ＳＴ３）。
【００７６】
図１１は、図１に示した電波修正時計の動作の一具体例を示すタイミングチャートである。
電波修正時計１の動作を、図１０を参照しながら、制御回路２０の動作を中心に説明する。
【００７７】
通常時には、制御回路２０では、内部時計２０１で計時される時刻に応じた表示を行わせる表示制御信号が表示部１９に出力されている。表示部１９の駆動回路１９２では、その表示制御信号に応じた駆動信号が生成され、ＬＣＤパネル１９１に出力される。ＬＣＤパネル１９１では、その駆動信号に応じた時刻表示が行われる（ＳＴ１１，ＳＴ１２）。
【００７８】
また、制御回路２０では、例えば、リセットスイッチ１３１や、強制受信スイッチ１３２が操作された場合や、あらかじめ設定された標準電波信号を受信する時刻、例えば、受信環境が比較的良い時間、午前２時〜午前５時頃などになると、例えば標準電波信号受信系１１に駆動電力を供給して、標準電波信号を受信させる（ＳＴ１１，ＳＴ１３）。
制御回路２０は、標準電波信号の受信処理として、例えば、秒同期処理、分同期処理、タイムコード読み取り処理等を行う。
また、制御回路２０では、標準電波信号受信系１１で標準電波を受信しているときに、受信中である旨を示す制御信号が受信表示部３０に出力される。受信表示部３０では、制御回路２０から出力された、その制御信号に応じて発光素子３１を発光し、受信中である旨を表示する。
【００７９】
ステップＳＴ１４において、制御回路２０では、後述するように、表示部１９に標準電波を受信中の表示モードで表示させる。
【００８０】
ステップＳＴ１５において、制御回路２０では、割込みがあったか否かが判別される。
具体的には、制御回路２０では、例えば、鳴止スイッチ１３３、スヌーズスイッチ１３４、設定スイッチ群１３５等のスイッチ群１３が操作された場合が割込みがあったと判別する。
【００８１】
また、制御回路２０は、光センサ１６が暗状態から明状態に変化した場合、または明状態から暗状態に変化した状態を検出した場合も、割込みがあったと判別してもよい。
【００８２】
また、制御回路２０は、検出部１８が光電変換部１７から出力される電圧を監視し、例えば、周囲が暗い状態から明るい状態になった場合などに光電変換部１７から出力される電圧が高くなった場合も、割込みがあったと判別してもよい。また、赤外線センサを設け、その赤外線センサが所定の温度物体、例えば人間等から放出される赤外線を検出した場合も割込みがあったと判別してもよい。
【００８３】
また、制御回路２０は、マイク１５により、所定のレベル以上の音波を検出した場合も、割込みがあったと判別してもよい。
【００８４】
ステップＳＴ１５の判別において、制御回路２０では、割込みがあったと判別された場合には、表示部１９に通常の表示を行わせる表示指示を含む表示制御信号が出力される。表示部１９では、受信中表示モードから通常表示モードに切り替わり、駆動回路１９２から駆動信号がＬＣＤパネル１９１に出力される。ＬＣＤパネル１９１では、駆動信号に応じた表示が行われ（ＳＴ１６）、ステップＳＴ１７の処理に進む。
【００８５】
一方、ステップＳＴ１５の判別において、制御回路２０では、受信終了か否かが判別され、受信終了ではない判別された場合には、ステップＳＴ１３の処理に戻り、受信終了であると判別された場合には、ステップＳＴ１１の処理に戻る。
【００８６】
図１２は、図１１に示した受信中表示モード時の時刻修正時計の動作を説明するためのフローチャートである。
制御回路２０では、標準電波信号の秒同期処理中である場合には（ＳＴ２１）、表示部１９に、例えば図９（ｄ）に示したような揺らぎ点滅を行わせる表示制御信号が出力される（ＳＴ２２）。表示部１９の駆動回路１９２では、この表示制御信号に基づいて、ＬＣＤパネル１９１に、図９（ｄ）に示すような揺らぎ点滅を行わせるように、駆動信号を生成または駆動信号の生成を抑止する。
【００８７】
制御回路２０では、標準電波信号の分同期処理中である場合には（ＳＴ２３）、表示部１９に、例えば図９（ｃ）に示したような、２秒点滅を行わせる表示制御信号が出力される（ＳＴ２４）。表示部１９の駆動回路１９２では、この表示制御信号に基づいて、ＬＣＤパネル１９１に、図９（ｃ）に示すような２秒間隔で点滅を行わせるように、駆動信号を生成または駆動信号の生成を抑止する。
【００８８】
制御回路２０では、標準電波信号のタイムコード読込み処理中である場合には（ＳＴ２５）、表示部１９に、例えば図９（ｂ）に示したような、１秒点滅を行わせる表示制御信号が出力される（ＳＴ２６）。表示部１９の駆動回路１９２では、この表示制御信号に基づいて、ＬＣＤパネル１９１に、図９（ｂ）に示すような１秒間隔で点滅を行わせるように、駆動信号を生成または駆動信号の生成を抑止する。
上述したように、表示制御信号が表示指示を含むときは駆動信号を生成して駆動信号に応じた表示を行い、表示制御信号が駆動信号の生成を抑止させる抑止指示を含むときは駆動信号の生成を抑止する表示部１９と、ノイズの発生源となる表示部１９の近傍に配置され、電波信号を受信し、電波信号に含まれる標準時刻信号を出力する標準電波信号受信系１１と、標準電波受信系１１で、標準時刻信号の内の、内部時計の時刻修正処理に係る所定の信号が受信されるときは、少なくとも抑止指示を含む表示制御信号を表示部１９に出力する制御回路２０とを設けたので、ノイズの影響が少なく標準時刻信号を受信することができる。
【００８９】
また、表示部１９と、受信アンテナ１１１を近くに設けることができるので、小型で薄型の電波修正時計を提供することができる。
また、受信感度を十分に向上させることができ、ユーザの利便性を高めることができる。
【００９０】
なお、本発明は本実施の形態に限られるものではなく、任意好適な種々の改変が可能である。
例えば、制御回路２０は、標準時刻信号を受信中は、抑止指示を含む表示制御信号を表示部１９に出力して、表示部１９に駆動信号の生成を抑止させてもよい。
【００９１】
また、表示タイミングは、上述した表示タイミングに限られるものではない。例えば、標準時刻信号の内の、時刻修正処理に係る信号を受信する際や、「０」信号、「１」信号、および「Ｐ」信号の内でも重要な期間のときに、受信に影響を与えないように駆動信号を抑止して表示させなければよい。
【００９２】
【発明の効果】
本発明によれば、駆動信号により駆動する表示部を有する場合であっても、ノイズの影響が少なく標準時刻信号を受信する電波修正時計を提供することができる。
【図面の簡単な説明】
【図１】本発明に係る電波修正時計の一実施の形態のブロック図である。
【図２】図１に示した電波修正時計の標準電波受信される時刻信号の一具体例を示す図である。（ａ）は標準電波信号の一具体例を示す図、（ｂ）は受信状態が良い場合の出力波形の一具体例を示す図である。（ｃ）は電波が非常に弱い場合の出力波形の一具体例を示す図、（ｄ）はノイズが多い場合の出力波形の一具体例を示す図である。
【図３】標準電波信号のタイムコードの一部である。
【図４】図１に示した電波修正時計の一実施の形態の全体構成を示す図である。
【図５】（ａ）は図４（ａ）に示した電波修正時計の背面図、（ｂ）は左側面図、（ｃ）は右側面図である。
【図６】図１に示した電波修正時計の表示部の一具体例のブロック図である。
【図７】図４に示した表示部のＬＣＤパネルの一具体例の一部を示す図である。
【図８】図１に示した電波修正時計の表示部の駆動信号の一具体例を示す図である。
【図９】図１に示した電波修正時計で受信される電波信号と、表示部の表示タイミングの一具体例を示す図である。
【図１０】図１に示した電波修正時計の動作の一具体例を示すタイミングチャートである。
【図１１】図１に示した電波修正時計の動作の一具体例を示すタイミングチャートである。
【図１２】図１１に示した受信中表示モード時の時刻修正時計の動作を説明するためのフローチャートである。
【符号の説明】
１…電波修正時計、２…標準電波送信局、１０…信号処理系回路、１１…標準電波信号受信系、１２…発振回路、１３…スイッチ群、１４…スピーカ、１５…マイク、１６…ＣｄＳ光センサ、１７…光電変換部、１８…検出部、１９…表示部、２０…制御回路、１００…本体部、１１１…受信アンテナ、１１２…長波受信回路、１３１…リセットスイッチ、１３２…強制受信スイッチ、１３３…鳴止めスイッチ、１３４…スヌーズスイッチ、１３５…設定スイッチ群、１９１…ＬＣＤパネル、１９２…駆動回路、２０１…内部時計、１９２１…コモン駆動回路、１９２２…セグメント駆動回路、１９２３…ＬＣＤ表示制御回路。
【図１】
2004093375.tif 000003
【図２】
2004093375.tif 000004
【図３】
2004093375.tif 000005
【図４】
2004093375.tif 000006
【図５】
2004093375.tif 000007
【図６】
2004093375.tif 000008
【図７】
2004093375.tif 000009
【図８】
2004093375.tif 000010
【図９】
2004093375.tif 000011
【図１０】
2004093375.tif 000012
【図１１】
2004093375.tif 000013
【図１２】
2004093375.tif 000014